(57)【要約】【課題】軽量盛土構造体において、従来のように補強シートにように固定補助部材を用いることなく、少ない部品数と少ない作業工程でもって、壁面材をしっかりと軽量盛土に対して固定する。【解決手段】水平支持体３ａと立ち上がり体３ｂとが一体となった壁面材３を下位に位置する軽量盛土材２の上面に留め具５で固定する。その際に、上位の軽量盛土材２を前記留め具５の打ち込み位置を覆うようにして下位の軽量盛土材の上に載置する。【選択図】  図１
2004293133.tif 000002
【特許請求の範囲】
【請求項１】
樹脂発泡体を軽量盛土材として多段に積み上げ、その上面に路盤などの仕上げ構造材を、また、側面に沿って壁面材を多段に配置するようにした軽量盛土構造体であって、前記壁面材は水平支持体と立ち上がり体とが一体に形成されたものであり、水平支持体が下位に位置する軽量盛土材の上面に位置しており、水平支持体の後端部近傍が留め具を打ち込むことにより該軽量盛土材に固定されており、上位の軽量盛土材は前記留め具での打ち込み位置を覆うようにして下位の軽量盛土材の上に載置されていることを特徴とする軽量盛土構造体。
【請求項２】
軽量盛土材は側面が斜面となるように階段状に積み上げてあり、壁面材はその立ち上がり体が軽量盛土材の階段状の側面に沿う斜面を形成するように多段に配置されていることを特徴とする請求項１に記載の軽量盛土構造体。
【請求項３】
下位の軽量盛土材の上面には、そこに位置する壁面材の水平支持体およびその固定に用いた留め具の頭部を収容できる深さの切り欠き凹部が形成されており、他の上面部分とほぼ同じレベルとなるように該切り欠き凹部にはレベリング材が充填されていることを特徴とする請求項１または２に記載の軽量盛土構造体。
【請求項４】
壁面材は多孔鋼板で形成されており、壁面材の少なくとも立ち上がり体に沿って植生シートが取り付けてあり、かつ、壁面材の立ち上がり体と軽量盛土材の側面との空間には土砂が充填されていることを特徴とする請求項１ないし３のいずれかに記載の軽量盛土構造体。
【発明の詳細な説明】
【０００１】
【発明の属する技術分野】
本発明は樹脂発泡体を軽量盛土材として多段に積み上げて構成される軽量盛土構造体、特に、積み上げた軽量盛土材の側面に沿って多段に配置される壁面材の構造に特徴を有する軽量盛土構造体に関する。
【０００２】
【従来の技術】
軟弱地盤や地滑り地などでの盛土工法の一つとして樹脂発泡体を軽量盛土材として用いた軽量盛土構造体が知られている。この構造物は、地盤改良にかかる経費の節減、工期の短縮、耐震性の向上などにおいて優れた効果を発揮することから、種々の土木工事において広く採用されている。多段に積み上げた樹脂発泡体の側面には、樹脂発泡体を保護しまた劣化を防止するために、壁面材が多段に取り付けられる。壁面材の取り付けには従来多くの形態のものが提案されており、例えば、特許文献１（特開平１０−１６８９０９号公報）には、建て込みに構造材としてのＨ形鋼を用いない軽量盛土構造体において、積み上げた軽量盛土材の間に取り付け部材を挿入し、該取り付け部材の先端に壁面材を直接取り付ける構造が提案されている。また、特許文献２（特開２００２−３１７４４６号公報）には、弾塑性体である樹脂発泡体の沈み込みにより壁面材が影響を受けないように、壁面材の裏面に上下方向に走る縦溝を設け、段積みされる樹脂発泡体の間に挿入した取り付け部材の先端部を該縦溝に上下方向に摺動可能に係止して、壁面材を樹脂発泡体の側面に取り付けるようにしたものが提案されている。上記構造体は壁面材とそれを軽量盛土側に取り付ける取り付け具とが別の部材となっており、沈み込みの吸収など多くの利点がある一方において、施工現場での部品数が多くなる不都合がある。
【０００３】
特許文献３（特開２０００−８３７８号公報）には、図４に示すように、土留め面１２ｂ（本発明における「立ち上がり体」に相当）と水平支持体１２ａ（本発明における「水平支持体」に相当）とを備える壁面材１２をエキスパンドメタルのような多孔鋼板で一体成形し、水平支持体１２ａを発泡樹脂ブロック１１の上に置きアンカーピン１６を用いて発泡樹脂ブロック１１に取り付けるようにした軽量盛土構造体が記載されている。この構造では壁面材にかかる部品数を少なくできる利点がある。また、土留め面１２ｂと発泡樹脂ブロック１１の側面との間の空間に土砂２０を充填し、かつ植生シートを用いることにより、法面緑化工法としてもきわめて有効となる。
【０００４】
【特許文献１】
特開平１０−１６８９０９号公報
【特許文献２】
特開２００２−３１７４４６号公報
【特許文献３】
特開２０００−８３７８号公報
【０００５】
【発明が解決しようとする課題】
上記特開２０００−８３７８号公報に記載の構造体は、軽量盛土構造体として多くの利点がある。しかし、壁面材１２の固定は、階段状に積み上げられた発泡樹脂ブロック１１の上面であって側面に近い位置にアンカーピン１６を打ち込んで固定するようにしており、側壁面での土砂２０の充填部上に予期しない大きな荷重がかかったりした場合に、アンカーピン１６による壁面材の固定がずれるあるいははずれることが考えられる。そのために、この構造体では、発泡樹脂ブロック１１の上面に補強シート１７を展開し、壁面材１２の水平支持体１２ａと補強シート１７をアンカーピン１６で固定すると共に、展開した補強シート１７の地山側の位置（上位の発泡樹脂ブロック１１で押さえ付けられている領域）をさらにアンカーピン１６で固定するようにしている。
【０００６】
このために、補強シート１７という部品が必要であり、さらに、それを固定するためにアンカーピン１６を発泡樹脂ブロック１１に向けて打ち込む作業を必要としている。さらに、補強シート１７を固定したアンカーピン１６の頭部が発泡樹脂ブロック１１の上面から突出するのを回避することは困難であり、そのままで上位の発泡樹脂ブロック１１を積み上げると、不陸が生じて安定さを欠く恐れがある。多段に発泡樹脂ブロック１１を積み上げる場合に、この不陸は無視できないものとなる。そのために、上位の樹脂ブロック１１の裏面にアンカーピン１６の頭部が嵌入できる凹部１１ｂを形成しているが、施工現場において打ち込んだアンカーピン１６の頭部と凹部１１ｂの位置合わせをすることは容易でない。
【０００７】
本発明は上記のような事情に鑑みてなされたものであり、水平支持体と立ち上がり体とが一体に形成された壁面材を用いる軽量盛土構造体において、少ない部品数と少ない作業工程でもって、当該壁面材を軽量盛土材へ安定して固定することを可能としたさらに改良された軽量盛土構造体を提供することを目的とする。
【０００８】
【課題を解決するための手段】
本発明による軽量盛土構造体は、樹脂発泡体を軽量盛土材として多段に積み上げ、その上面に路盤などの仕上げ構造材を、また側面に沿って壁面材を多段に配置するようにした軽量盛土構造体であって、前記壁面材は水平支持体と立ち上がり体とが一体に形成されたものであり、水平支持体が下位に位置する軽量盛土材の上面に位置しており、水平支持体の後端部近傍が留め具を打ち込むことにより該軽量盛土材に固定されており、上位の軽量盛土材は前記留め具での打ち込み位置を覆うようにして下位の軽量盛土材の上に載置されていることを特徴とする。
【０００９】
上記の軽量盛土構造体では、その施工に際して、下位に位置する軽量盛土材の上面に壁面材をその水平支持体部分を載せるようにして配置し、当該水平支持体の後端部近傍に軽量盛土材に向けて留め具を打ち込み、壁面材の固定を行う。次に、打ち込んだ留め具を覆うようにして上位の軽量盛土材を下位の軽量盛土材の上に配置する。この作業で当該埋込材の軽量盛土側への固定は終了する。
【００１０】
本発明の軽量盛土構造体では、壁面材は軽量盛土材の地山側に入り込んだ位置でその水平支持体が留め具により下位の軽量盛土材に固定されており、さらに、その上に上位の軽量盛土材が載った状態となる。従って、そのままで壁面材の固定は安定しており、予期しない荷重が作用するような場合でも、留め具での固定状態が不安定となることはない。また、必要とする作業工程が少ないばかりでなく、部品数も背面材と固定具だけでありきわめて少ない。
【００１１】
本発明による軽量盛土構造体において、積み上げた軽量盛土材の側面は垂直な面でもよく、階段状の斜面となっていてもよい。後者の場合、壁面材をその立ち上がり体が軽量盛土材の階段状の斜面に沿うような斜面を形成するようにして多段に配置することにより、綺麗な法面を持つ軽量盛土構造体を得ることができる。また、この構成では、埋込材として奥行きの深い水平支持体を持つ壁面材を用いることとなるので、壁面材の固定状態は一層安定したものとなる。
【００１２】
前記したように下位の軽量盛土材の上に載っている壁面材の水平支持体部分およびそれを固定するための留め具の頭部が当該軽量盛土材の表面より盛り上がっていると、その上に載置する軽量盛土材との間に不陸が生じる。また、下位の軽量盛土材と上位の軽量盛土材とは線接触や点接触となる部分が生じ、その部分は最終的には上載荷重により押しつぶされて安定した面接触の状態となるが、その過程で軽量盛土材の破損を伴うので好ましくない。それを回避するために、下位の軽量盛土材の上面に、そこに位置することとなる壁面材の水平支持体部分およびその固定に用いた留め具の頭部を収容できる深さの切り欠き凹部を形成しておくことが望ましい。そして、施工に当たっては、留め具での固定後、切り欠き凹部内に他の上面部分とほぼ同じレベルとなるようにレベリングを充填する。それにより、下位の軽量盛土材と上位の軽量盛土材とは施工当初から面接触した状態となるので、上載荷重による軽量盛土材の破損が生じるのを効果的に回避することができる。レベリング材としては、土、砂、空練りモルタル、モルタルなど、またはこれらの混合物があげられる。あるいは金属製やプラスチック製の板状物でもよい。これらのうち、現場での施工性に優れる土や砂、またはこれらの混合物が特に好ましい。
【００１３】
本発明において、壁面材は水平支持体と立ち上がり体とが一体に形成されていることを条件に他の条件は任意である。立ち上がり体が壁面体そのものであってもよく、他の壁面体を取り付けるための支持枠であってもよい。水平支持体も一枚の平板であってもよく、２本以上の水平方向に延びた扁平な板状部材であってもよい。また、壁面材を取り付けた状態で、その立ち上がり体の裏面と軽量盛土材の側面とは接したあるいは近接した状態であってもよく、所要の空間を持つ状態であってもよい。後者の場合には、そこに適宜の不燃性でありかつ断熱材として機能する材料（例えば、ロックウール、グラスウールのようなもの）を埋め込むことにより、山火災などの高温により軽量盛土材が変形あるいは消失することも確実に阻止することが可能となる。
【００１４】
好ましくは、壁面材をエキスパンドメタル、溶接金網、パンチングメタルのような多孔鋼板で形成し、壁面材の少なくとも立ち上がり体に沿って植生シートを取り付け、かつ、壁面材の立ち上がり体と軽量盛土材の側面との空間には土砂を充填するようにする。この形態では、軽量盛土材の保護とともに側面緑化をも同時に行いうる利点がある。側面緑化を行う場合、多段に位置する埋込材を、下位に位置する立ち上がり体の上縁を上位に位置する立ち上がり体の下縁から側方に突出した位置となるようにして順次配置していくことが望ましく、これにより、各段の壁面材の立ち上がり体と軽量盛土材の側面との空間に充填した土砂に対して、雨水を確実に供給できるようになる。
【００１５】
本発明による軽量盛土構造体において、用いる軽量盛土材としては、従来の軽量盛土工法において用いられている、ＥＰＳ（発泡ポリスチレン）、発泡ウレタン、ＦＣＢ（軽量発泡コンクリート）などの樹脂発泡体を適宜用いることができるが、施工性を考慮すると、ＥＰＳブロックを用いることは好ましい。
【００１６】
【発明の実施の形態】
以下、本発明の実施の形態を、図面に基づいて詳細に説明する。図１は、本発明による軽量盛土構造体の一実施の形態の要部を示す断面図であり、図２は壁面材と軽量盛土材との固定状態を説明する斜視図である。この軽量盛土構造体は、従来知られている軽量盛土構造体と同様、地盤１の上に、例えばＥＰＳブロック２である樹脂発泡体が軽量盛土材として上下方向に多段に積み上げられ、図示しないが、その上面には路盤などの仕上げ構造材が構築されている。そして、その側面に本発明での側面材３がやはり上下方向に多段に取り付けられる。図示の例では、ＥＰＳブロック２は側面が階段状の傾斜面をなすように積み上げられているが、垂直な側面とされていてもよい。
【００１７】
図２に示すように、この例において、各壁面材３は、例えば、溶融亜鉛メッキまたはポリエチレンコーティングされたエキスパンドメタルを屈曲させて、水平な水平支持体３ａと、この水平支持体３ａの一方の側縁部から鋭角的な角度で、水平支持体３ａに対して傾斜状態で上方に立ち上げられた立ち上がり体３ｂとを有する断面ほぼＬ字状に構成されている。立ち上がり体３ｂは、積み上げたＥＰＳブロック２の階段状の傾斜に合った傾斜状態となっている。なお、ＥＰＳブロック２が垂直な側面をなすように積み上げる場合には、この傾斜は不要である。いずれの場合も、水平支持体３ａから立ち上がり体３ｂの上端までの垂直距離は各ＥＰＳブロック２の高さに等しくされる。
【００１８】
また、必ずしも必須のものではないが、図示の例では、各壁面材３の立ち上がり体３ｂは、水平方向に適当な間隔をあけて配置された一対の支持ロッド３ｃによって、水平支持体３ａに支持されている。さらに、図示しないか、立ち上がり体３ｂにおける後面に従来知られた適宜の植生シート貼り付ける場合もある。
【００１９】
図２に示すように、最も谷川に積み上げられるＥＰＳブロック２Ａは、その側面側の上面に切り欠き凹部４を有している。該切り欠き凹部４の深さは壁面材３の水平支持体３ａの厚みにより深くされている。
【００２０】
施工に際して、所用の地盤整備が行われ、最下段のＥＰＳブロック２を敷き詰める。その際に、図２に示した切り欠き凹部４を有するＥＰＳブロック２Ａを最も谷川に配置する。また、図１に示すように、該ＥＰＳブロック２Ａの側方には最下段の壁面材３Ａを配置する。その際に、壁面材３Ａの水平支持体３ａが置かれることとなる領域の地盤部分を幾分深く堀込み、そこに壁面材３Ａの水平支持体３ａを置き、アンカーピンのような留め具５を地中に打ち込んで壁面材３Ａを固定する。堀込みの深さは、打ち込んだ留め具５の頭部が支持地盤のレベルから突出することがないだけの深さとされる。
【００２１】
留め具５で壁面材３Ａを固定した後、水平支持体３ａの上に支持地盤のレベルと同じレベルとなるまでレベリング材６としての砂を敷き詰める。その後に、前記最も谷川のＥＰＳブロック２Ａを配置し、壁面材３Ａの立ち上がり体３ｂとＥＰＳブロック２Ａの側面との空間Ｓには土砂７を充填する。なお、土砂７の充填は側面緑化を行うときに必要とする作業であって、それを行わないときには、空所のままでもよく、ロックウールのような適宜の不燃断熱材を充填してもよい。その場合には、立ち上がり体３ｂの前面に適宜の軽量コンクリートなどで作られた従来知られた壁面体を取り付けることが望ましい。
【００２２】
次に、２段目を施工する。図２に示すように、１段目のＥＰＳブロック２Ａに形成した切り欠き凹部４の部分に壁面材３の水平支持体３ａを置く。その際に、図１に示すように、最下段の壁面材３Ａの立ち上がり体３ｂと２段目の壁面材３の立ち上がり体３ｂが連続した斜面を形成するように、２段目の壁面材３の位置決めを行う。その状態で、水平支持体３ａの後端側（地山側）近傍に留め具５を打ち込んで壁面材３ＡをＥＰＳブロック２Ａに固定する。なお、打ち込んだ留め具５の頭部５ａがＥＰＳブロック２Ａの上面レベルから突出しないだけの深さに切り欠き凹部４の深さは設定される。また、その奥行きは、図１に示すように、その上に上位のＥＰＳブロック２Ａを積み上げたときに、少なくとも前記留め具５での固定部が上位のＥＰＳブロック２Ａにより覆われることができるだけの奥行きとされる。
【００２３】
留め具５で壁面材３を固定した後、水平支持体３ａの上にＥＰＳブロック２Ａの上面レベルと同じレベルとなるまでレベリング材６ａとしての砂を敷き詰め、その後に、１段目での壁面材３Ａのときと同じように、その立ち上がり体３ｂとＥＰＳブロック２Ａの側面との空間Ｓには土砂７を充填する。また、残りのＥＰＳブロック２も敷き詰める。以下、必要とされる段数について、同じ作業を繰り返し、最後に従来の軽量盛土構造体と同様に、コンクリート床版や路盤のような仕上げ構造体の施工を行うことにより、本発明での軽量盛土構造体は完成する。
【００２４】
上記のように、本発明の軽量盛土構造体では、壁面材３（３Ａ）は軽量盛土材であるＥＰＳブロック２Ａの地山側に入り込んだ位置でその水平支持体３ａが留め具５により固定され、さらに、その上に上位のＥＰＳブロック２Ａが載った状態となるので、従来のように補強シートにように固定補助部材を用いることなく、壁面材３をしっかりと軽量盛土に対して固定することができる。
【００２５】
図３は本発明による軽量盛土構造体の他の形態を示す断面図である。この形態は、各段の壁面材が下段の壁面材３の立ち上がり体３ｂと上段の壁面材３の立ち上がり体３ｂとが連続した斜面を形成するように位置決めされるのではなく、各段の壁面材が立ち上がり体３ｂの間に隙間Ｐが形成されるようにして位置決めされている点で、図１に示したものと相違している。この形態では、各段の壁面材の立ち上がり体３ｂとＥＰＳブロック２Ａの側面との空間Ｓに充填した土砂７に対して、雨水を確実に供給できるようになり、側面の緑化を行う場合に特に好適な形態となる。
【００２６】
なお、上記実施の形態では、壁面材３は、溶融亜鉛メッキまたはポリエチレンコーティングされたエキスパンドメタルを屈曲させて形成されているが、これに限定されるものではなく、例えば、金網を屈曲させて形成したり、パンチングメタルを屈曲させて形成してもよい。また、切り欠き凹部４に敷き込むものをレベリング材６の一例としての砂６とし、立ち上がり体３ｂとＥＰＳブロック２Ａの側面との空間Ｓに充填するものは土砂７として説明したが、所期の目的を達成できるものであれば、どちらも砂あるいは土砂であってよいことは当然である。
【００２７】
【発明の効果】
上記のように、本発明の軽量盛土構造体では、壁面材は軽量盛土材の地山側に入り込んだ位置でその水平支持体が留め具により固定され、さらに、その上に上位の軽量盛土構造体が載った状態となるので、従来のように補強シートにように固定補助部材を用いることなく、少ない部品数と少ない作業工程でもって、壁面材をしっかりと軽量盛土に対して固定することができる。
【図面の簡単な説明】
【図１】本発明による軽量盛土構造体の一実施の形態の要部を示す断面図。
【図２】壁面材と軽量盛土材との固定状態を説明する斜視図。
【図３】本発明による軽量盛土構造体の他の実施の形態の要部を示す断面図。
【図４】従来の軽量盛土構造体の一例を説明する図。
【符号の説明】
１…地盤、２，２Ａ…軽量盛土材（ＥＰＳブロック）、３，３Ａ…側面材、３ａ…水平支持体、３ｂ…立ち上がり体、４…切り欠き凹部、５…留め具、６…レベリング材（砂）、７…土砂
【図１】
2004293133.tif 000003
【図２】
2004293133.tif 000004
【図３】
2004293133.tif 000005
【図４】
2004293133.tif 000006